(57)【要約】【課題】紙幣の長さ検知装置を有する小型の紙幣払出装置を提供することである。【解決手段】紙幣を積み重ねた状態で保留する保留室と、前記紙幣を搬送するため前記保留室のそばに配置された紙幣搬送装置と、払出口とを有する紙幣払出装置において、紙幣搬送装置がローラーであり、そのローラーによって保留室の側方においてＵ状の紙幣通路を構成し、そのＵ状部に長さセンサを配置してなる紙幣払出装置である。【選択図】図１
2004086634.tif 000002
【特許請求の範囲】
【請求項１】
紙幣（２５）を積み重ねた状態で保留する保留室（２４）と、前記紙幣（２５）を搬送するため前記保留室（２４）のそばに配置された紙幣搬送装置（５）と、払出口（６３）とを有する紙幣払出装置において、紙幣搬送装置（５）がローラー（４４，４７，５１，５５）であり、そのローラーによって保留室（２４）の側方においてＵ状の紙幣通路（４０）を構成し、そのＵ状部に長さセンサ（７７）を配置してなる紙幣払出装置。
【請求項２】
紙幣搬送装置（５）が保留室（２４）の側方に配置した第１ローラー（４４）と、第１ローラー（４４）の側方に配置したガイドローラー（４７）と、ガイドローラー（４７）に対し第１ローラー（４４）を挟んだ反対側に配置された第２ローラー（５１）とによりＵ状の紙幣通路（４０）を構成し、この紙幣通路（４０）に紙幣長さセンサー（７７）を配置した請求項１の紙幣払出装置。
【請求項３】
紙幣長さセンサー（７７）が、保留室（２４）と第１ローラー（４４）との間に配置した第１紙幣センサー（７５）と、ガイドローラー（４７）と第２ローラー（５１）との間に配置した第２センサー（７６）を含む請求項２の紙幣払出装置。
【請求項４】
紙幣（２５）が、紙幣保留室（２４）において紙幣積み重ね方向に対し傾斜して保留される請求項１の紙幣払出装置。
【発明の詳細な説明】
【０００１】
【発明が属する技術分野】
本発明は、小型の紙幣払出装置に関する。
詳しくは、ゲーム機の間に配置される台間装置に内臓する小型の紙幣払出装置に関する。
さらに詳しくは、台間装置に装着するに適した紙幣の長さ検知装置を備えた小型の紙幣払出装置に関する。
【０００２】
【従来の技術】
パチンコ或いはパチスロ等のゲーム機１０１の間に、それらのゲーム媒体であるパチンコ玉或いはメダルを販売するための台間装置１０２が配置されている。
図４及び５に示すように、台間装置１０２は、縦長箱型の筐体１０３内に、ゲーム媒体払出装置１０４、代金を受け入れる紙幣識別受入装置１０５と、つり札用の紙幣払出装置１０６及び制御装置１０７が内臓されている。
１０８は筐体１０３に固定されたゲーム媒体トレイ、１０９は紙幣識別受入装置に固定された紙幣受入口、１１０は紙幣払出装置１０６に固定された紙幣払出口である。
【０００３】
台間装置１０２は、ゲーム機１０１の間に配置されることから、可及的に幅が狭く、かつ、高さ及び奥行きをゲーム機１０１のそれに揃える必要があり、筐体１０３は、高さ８１０ミリ、幅１００ミリ、奥行き２４０ミリが一般的である。
日本の紙幣は、幅が７６ミリ、長さは最大１６０ミリであり、一般的には前記筐体１０３内に水平状態に長手を奥行き方向に向けて配置される。
【０００４】
この場合、紙幣の長さによって奥行きが決定されてしまい、それ以上の小型化が出来ない。
また、紙幣払出装置は、保留部から紙幣が重なって送り出された場合、そのまま払い出すことが出来ないので、重なりを検知するための長さセンサーとリジェクト紙幣保留部を配置する必要がある。
【０００５】
前記限られたスペースに長さセンサーを配置する場合、紙幣の長さ以上の経路長とリジェクト部へ案内するための誘導路が必要であり、具体的には紙幣長さの１．５倍程度の紙幣経路長が必要である。
この経路長を考慮した場合、紙幣の経路は特開平１１−３５３５３２号や特開２００２−０９２７００に開示されるように、紙幣保留部を囲うよう形成されるので、払出装置自体が大型化するという問題がある。
結果として、前記台間装置の高さ及び／又は奥行きが、前記一般的な大きさよりも大型化するという問題がある。
【０００６】
【発明が解決しようとする課題】
本発明の第１の目的は、紙幣の長さセンサーを有する小型の紙幣払出装置を提供することである。
本発明の第２の目的は、台間装置に内臓するに適した長さ検知装置を有する紙幣処理装置を提供することである。
【０００７】
【課題を解決するための手段】
この目的を達成するため、本発明にかかる紙幣払出装置は以下のように構成されている。
紙幣を積み重ねた状態で保留する保留室と、前記紙幣を搬送するため前記保留室のそばに配置された紙幣搬送装置と、払出口とを有する紙幣払出装置において、紙幣搬送装置がローラーであり、そのローラーによって保留室の側方においてＵ状の紙幣通路を構成し、そのＵ状部に長さセンサを配置してなる紙幣払出装置である。
【０００８】
この構成において、紙幣は搬送装置のローラーによって保留部の側方に形成される紙幣通路に案内される。
このＵ状部によって、紙幣の長さ検知に十分な経路を構成し、ここに配置した長さセンサーによって紙幣の長さを検知する。
そして、長さ異常紙幣は、リジェクト部に送り込んでリジェクトし、正常な紙幣のみを利用者に払い出すことができる。
【０００９】
Ｕ状の紙幣通路は、ローラーの使用によって容易かつ安価に構成することができる。
紙幣搬送装置としてローラーを用いた場合、ベルトのようにテンション管理等不要であり、メンテナンスが容易である。
【００１０】
本発明は、紙幣搬送装置が保留室の側方に配置した第１ローラーと、第１ローラーの側方に配置したガイドローラーと、ガイドローラーに対し第１ローラーを挟んだ反対側に配置された第２ローラーとによりＵ状の紙幣通路を構成し、この紙幣通路に紙幣長さセンサーが配置されていることが好ましい。
【００１１】
この構造において、紙幣の保留部に隣接した側方において、倒立Ｕ状の紙幣通路を構成でき、その倒立Ｕ状部に長さセンサを配置したので、小型であるにも拘わらず、長さセンサを配置することができ、保留部から払い出された紙幣の長さをチェックできる。
そして、長さ異常紙幣はリジェクト部に送り込んでリジェクトし、正常な紙幣のみを利用者に払い出すことができる。
【００１２】
本発明は、紙幣長さセンサーが、保留室と第１ローラーとの間に配置した第１紙幣センサーと、ガイドローラーと第２ローラーとの間に配置した第２センサーを含むことが好ましい。
この構成において、長さセンサーを最小のエリアで構成できるので紙幣払出装置を小型化できるという効果がある。
【００１３】
本発明は、紙幣が紙幣保留室において紙幣積み重ね方向に対し傾斜して保留されることが好ましい。
この構成において、紙幣は斜めに保留されるので、その水平方向の長さは実質的に減少し、紙幣払出装置の奥行きを減少できる。
換言すれば、従来と同じ奥行きであれば、紙幣保留部の長さが減少した分、他の装置、例えば紙幣の長さ検知装置を装着でき、一般的大きさの台間装置に長さ検知装置を有する紙幣払出装置を装着できる利点がある。
【００１４】
【発明の実施の形態】
図１は、本発明の実施例の紙幣払出装置の概略図である。
図２は、本発明の実施例の金庫の概略斜視図である。
図３は、本発明実施例の第１搬送装置の正面図である。
【００１５】
図１において、紙幣払出装置１は、箱形の筐体２を有する。
筐体２内には、台形状の金庫装着部３、紙幣送出装置４、紙幣搬送装置５、一括払出装置６及び制御部７を有する。
【００１６】
金庫装着部３の開口１０は、筐体２にピボット運動可能に取り付けた蓋９により閉じることができる。
金庫装着部３は、開口１０が上下方向に伸びる長辺１０であり、それに平行に対面する短辺１１、それらの間に位置する水平の下辺１２と下辺１２に対面する傾斜辺１３とを有する。
【００１７】
金庫１４は、金庫装着部３と相似形であって、一回り小型である。
金庫１４内は、水平の仕切り板１５によって、上側の紙幣保留部１６と下側のリジェクト紙幣保留部１７とに区画されている。
紙幣保留部１６内には、紙幣の積み重ね方向に対し傾斜している底面１８が配置されている。
底面１８に平行に押しつけ板１９が配置され、移動可能である。
押しつけ板１９が、紙幣支え２０である。
【００１８】
金庫１４の傾斜壁２１は、傾斜辺１３と平行であり、中央にキックローラ開口２２が形成されている。
押しつけ板１９は、仕切板１５に固定されたスプリング２３により傾斜壁２１へ向かって付勢され、平行四辺形の紙幣保留室２４内において上下方向に移動できる。
【００１９】
紙幣保留室２４内に保留された紙幣２５は、仕切り板１５に対し傾斜しており、その傾斜角度に関連して紙幣２５の長手方向の長さが筐体２に対し短くなる。
すなわち、紙幣２５は紙幣の積み重ね方向である上下方向に対し傾斜している。
紙幣保留室２４の出口に隣接して紙幣２５を一枚ずつ分離する分離装置２７が配置されている。
分離装置２７は、傾斜壁２１に続く直状の固定壁２８と、固定壁２８から所定量離れることができるよう移動可能であり、かつ、回転可能な円柱状の移動ローラー２９とからなっている。
【００２０】
この構成により、紙幣２５が出口から重なって送り出された場合、移動ローラー２９に接する紙幣２５は進行抵抗を受けるので、固定壁２８に接する紙幣２５のみが固定壁２８と移動ローラー２９の間を通過することができる。
分離装置２７の下方のリジェクト紙幣保留部１７の入口部には、引込装置３１が配置されている。
引込装置３１は、送られて来た紙幣２５をリジェクト紙幣保留部１７に引き入れる機能を有し、本実施例では周面が接触した一対のローラー３２、３３である。
【００２１】
筐体２の傾斜辺１３の中間に、紙幣送り出し装置４が配置されている。
紙幣送り出し装置４は、紙幣２５を金庫１４から送り出す機能を有し、本実施例においては、周面の一部が金庫装着部３に位置するキックローラー３４である。
キックローラー３４は、駆動軸３５との間にワンウエイクラッチ３６が介在されており、紙幣２５の引き出し方向に回転される場合、駆動軸３５よりも早い速度で回転されることができる。
【００２２】
金庫１４が金庫装着部３に挿入され、所定の位置に固定されたとき、キックローラー３４の周面の一部がキックローラー開口２２を通って紙幣保留室２４内に位置することができる。
このとき、キックローラー３４の周面は、紙幣保留室２４内の紙幣２５と弾性的に接触する。
キックローラー３４は、図示しないモーターによって所定の時期に時計方向に回転される。
【００２３】
キックローラ３４は、周面に突起を設けたローラーと交換することができる。
この場合、突起が紙幣２５と接触しない位置でキックローラ３４を停止する制御が必要である。
本実施例のようにワンウエイクラッチ３６を介在することにより、キックローラ３４で紙幣２５を送り出している最中に後述の第１搬送装置３８でそれよりも高速で引き出された場合、紙幣２５の進行につれてキックローラ３４も同方向に回転可能なので紙幣２５を破損することがない。
引き込み装置３１のローラー３２は、筐体２に取り付けられた駆動ローラ３７の周面に圧接し、回転駆動される。
【００２４】
次に金庫１４から送り出された紙幣２５を一括払出装置６或いはリジェクト紙幣保留部１７へ搬送する機能を有する紙幣搬送装置５を説明する。
紙幣搬送装置５は、第１搬送装置３８と、第１ガイド装置３９と、第２搬送装置４１と、振分装置４２及び第３搬送装置４３を含んでいる。
まず、第１搬送装置３８を説明する。
分離装置２７の側方の筐体２に第１搬送装置３８が配置されている。
【００２５】
第１搬送装置３８は、第１ローラ４４とその下方に位置する第１プレスローラ４５と、第１プレスローラ４５の下流側側方にあって第１ローラ４４に接する第２プレスローラ４６を含んでいる。
第１ローラ４４は、紙幣保留部１５の上方に配置されたモーター５０によって回転駆動される。
【００２６】
第１ローラ４４の周面に所定の間隔でリング状の回転突条４４Ａから４４Ｆが形成してある。
第１プレスローラ４５の周面にも同様の間隔でリング状の固定突起４５Ａから４５Ｆが形成してある。
【００２７】
固定突条４５Ａと４５Ｂの間に回転突条４４Ａが位置し、他の突条も同様に配置されているが、突条の先端は、第１ローラー４４或いは第１プレスローラー４５に接していない。
この構成により、固定突条４５Ａから４５Ｆと回転突条４４Ａから４４Ｆによって紙幣２５は僅かに波状になってそれらの間を通過する。
【００２８】
次に第１ガイド装置３９を説明する。
第１ガイド装置３９は、モーター５０の側方であって、第１搬送装置３８の上方において第１搬送装置３８に対し僅かにオフセットしている。
【００２９】
第１ガイド装置３９は、回転自在な第２ローラー４７と、その周面に圧接する第３プレスローラー４８及び第４プレスローラー４９を含んでいる。
第２ローラー４７は、第１ローラー４４に対しほぼ半径分オフセットしている。
この構成により、紙幣払出装置１の長さ、したがって、台間装置１０２の奥行きを短くできる。
【００３０】
第３プレスローラー４８と第４プレスローラー４９は、第２ローラー４７を挟んだほぼ水平位置において第２ローラー４７の周面に接している。
第１ガイド措置３９の真下であって、第１搬送装置３８よりも下位に第２搬送装置４１が配置されている。
【００３１】
第２搬送装置４１は、第３ローラー５１と第５プレスローラー５２及び第６プレスローラー５３を含んでいる。
第３ローラー５１は第１ローラー４４によってベルト伝達機構５４を介して同方向に同期回転される。
【００３２】
第５プレスローラー５２は、第４プレスローラ４９の真下において第３ローラ５１に接している。
第６プレスローラー５３は、第３ローラ５１の下方であって引込装置３１の側方において第３ローラ５１に接している。
【００３３】
第３搬送装置４３は、第２搬送装置４１の真下に位置している。
第３搬送装置４３は、第４ローラー５５と第７プレスローラー５６及び第８プレスローラー５７を含んでいる。
第７プレスローラー５６は、第５プレスローラー５２の真下で第４ローラー５５に接している。
【００３４】
第８プレスローラー５７は、第４ローラー５５にその真下で接している。
振分装置４２は、第１ガイド装置３９から送られる紙幣２５をリジェクト紙幣保留室１７或いは一括払出装置６に振り分ける機能を有する。
本実施例において、振分装置４２は、第２搬送装置４１と第３搬送装置４３の間に配置され、第３ローラー５１と協同して紙幣２５を第６プレスローラ５３に向けて案内するか、払出搬送装置４３へ案内する機能を有する。
【００３５】
振分装置４２は、固定軸５８に回動可能な振り分け板５９を含んでいる。
振り分け板５９は、図示しないアクチュエータによって、点線示の払い出し位置或いは実線示のリジェクト位置に移動可能である。
【００３６】
金庫１４から送り出された紙幣２５は、第１ローラー４４を約３分の１周して上方に指向された後、第１ガイド装置３９に約２分の１周されて下方へＵ状に転向された後、第２搬送装置４１に達する。
すなわち、Ｕ状の紙幣通路４０が第１ローラ４４とガイドローラ４７及び第２ローラー５１により構成されている。
【００３７】
第２搬送装置４１に達した紙幣２５は、振分装置４２によって引込装置３１に案内されるか、第３搬送装置４３に案内される。
紙幣２５は、ガイド板によって通路を規制され、前記所定の経路を進行するよう案内される。
【００３８】
第１搬送装置３８、第１ガイド装置３９、第２搬送装置４１、振分装置４２及び第３搬送装置４３を実施例のように配置した場合、紙幣搬送装置５を小型化できるとともに、その中に紙幣の長さセンサーを配置できる利点がある。
ガイドローラー４７、第２ローラ５１及び第４ローラー５５は、同一のローラーが用いられており安価である。
【００３９】
次に金庫１４から一枚ずつ送り出された紙幣２５を所定枚数まとめて払い出す機能を有する一括払出装置６を説明する。
一括払出装置６は、金庫装着部３の下方に配置され、一時保留部６０と、紙幣押出装置６１を含んでいる。
紙幣一括送出装置６は、搬送通路７０でもある。
一時保留部６０は、トレイ５８と、紙幣押さえ５９を含んでいる。
トレイ５８は、第８プレスローラ５７の側方に位置し、その底６２は紙幣２５の長さよりも僅かに長く、下辺１５と平行に横たわっている。
【００４０】
紙幣押さえ５９は、第４ローラ５５の近くにおいて一端を筐体２に固定された板バネであり、その先端は、底６２に近接して平行である。
したがって、第３搬送装置４３によって、トレイ５８に送り込まれた紙幣２５は、紙幣押さえ５９によって底６２に押し付けられて保持される。
【００４１】
紙幣押出装置６１は、トレイ５８に一時保留されている複数の紙幣２５を一括して払出口６３に送り出す機能を有している。
払出口６３は、紙幣払出口１１０に連通している。
【００４２】
トレイ５８の上方に一対のタイミングプーリ６４及び６５が配置され、周面に突起６７が形成されているベルト６６が巻掛けられている。
タイミングプーリー６４は図示しないモーターにより所定のパターンで回転される。
【００４３】
すなわち、通常は、図１の位置に保持され、紙幣２５を送り出すときに時計方向に回動される。
トレイ５８の下方にそれと平行に配置したガイドレール６８に押出片６９を有するスライダ７１がスライド可能に装着されている。
【００４４】
また、スライダ７１と一体に被動体７２が設けられ、ベルト６６を挟むように被動ピン７３、７４が配置されている。
被動ピン７３と７４は、左右方向にずれて配置されている。
これにより、突起６７が右方へ移動したとき、被動ピン７３を同方向に押すので、押出片６９が同方向へ移動され、紙幣２５の左端部を右方へ押動する。
【００４５】
押出片６９は、プーリー６５を回り込む位置まで被動ピン７３を押し出した後、下側のベルト６６部に位置し、タイミングプーリー６４を回りこむまで被動ピン７４を左方へ押し出す。
これにより、押出片６９は左方へ移動されて待機位置に戻される。
右方へ押し出された紙幣２５の一部は、払出口６３、従って紙幣払出口１１０から押し出される。
払出口６３の近傍の紙幣通路に紙幣センサ８０が配置されている。
【００４６】
次に紙幣センサのレイアウトを説明する。
第１搬送装置３８と金庫装着部３との間の紙幣通路に面して第１紙幣センサ７５が配置されている。
第１ガイド装置３９と第２搬送装置４１との間の紙幣通路に面して第２センサ７６が配置されている。
第１センサ７５と第２センサ７６とで長さセンサ７７を構成している。
【００４７】
すなわち、第１センサ７５と第２センサ７６との間の経路長は、紙幣２５の長さよりも短く設定されている。
このため、第２センサ７６が紙幣２５を検知後に第１センサ７５の非検知信号が出力される。
【００４８】
紙幣２５は一定の速度で搬送されるため、第２センサ７６が紙幣検知信号を出力した後、所定時間内に第１センサ７５から紙幣の非検知信号を受けた場合、正常な長さの紙幣であると判定できる。
所定時間よりも短いときは、紙幣が短い場合であり、所定時間よりも長いときは紙幣が長い場合である。
【００４９】
このような所定時間の範囲外の場合、振分板５９が実線位置に保持され、紙幣２５をリジェクト紙幣保留部１７に案内する。
所定時間範囲の場合、紙幣２５は振分板５９が鎖線の位置に移動されて第３搬送装置４３へ案内される。
【００５０】
第２搬送装置４１と引込装置３１との間に第３紙幣センサ７８が配置されている。
第３紙幣センサ７８の出力が、紙幣検知信号から無し信号に変わったことにより、紙幣２５がリジェクト紙幣保留部１７に収納されたことを間接的に検知し、それに基づいて紙幣繰出装置４を所定時間作動させる。
【００５１】
第７プレスローラ５６と第８プレスローラ５７との間の紙幣通路に相対して第４紙幣センサー７９が配置されている。
第４紙幣センサー７９の出力が、紙幣検知信号から紙幣無し信号に変わったことにより、紙幣２５が一時保留部６０に収納されたことを間接的に検知し、それに基づいて紙幣繰出装置４を所定時間作動させる。
これら紙幣センサーは、透過式光電センサー、反射式光電センサーまたは機械式センサー等使用できる。
【００５２】
次に本実施例の作用を説明する。
４枚の正常紙幣２５を払い出すケースを説明する。
振分板５９は、通常は実線示の位置、すなわち、リジェクト位置に保持されている。
【００５３】
モーター５０が作動され、紙幣搬送装置５が作動する。
キックローラー３４は、図示しないモーターにより紙幣２５が第１搬送装置３８に受け渡されるに十分な時間、時計方向に回転される。
すなわち、ローラー３４が図１において時計方向に回転され、第１搬送装置３８の第１ローラー４４が時計方向へ回転され、第２搬送装置４１の第３ローラー５１及び払出装置４３の第４ローラ５５が反時計方向へ、さらに駆動ローラ３７を介してローラ３２が反時計方向へ回転される。
【００５４】
キックローラー３４の回転により、紙幣２５は分離装置２７へ送り出される。
分離装置２７によって一枚の紙幣２５のみが金庫１４から送り出されて第１ローラ４４と第１プレスローラ４５との間に送り込まれる。
紙幣２５は第１ローラ４４と第１プレスローラ４５により両縁部が波形に保持され、金庫１４から引き出される。
【００５５】
このとき、第１ローラ４４の周面速度は、キックローラ３４の周面速度よりも大きいので、紙幣２５は高速で紙幣搬送装置５によって引き出される。
紙幣２５が第１搬送装置３８によって金庫１４から引き出されるとき、キックローラ３４はワンウエイクラッチ３６によって駆動軸３５と無関係に回転できるので、紙幣２５が破損するなどの不具合は生じない。
【００５６】
この後、紙幣２５は第２プレスローラ４６によって挟まれた後、第２ローラー４７と第３プレスローラ４８、続いて第４プレスローラー４９の間に挟まれ、第２搬送装置４１へ送られる。
したがって、紙幣２５は、第１ローラー４４と第２ローラ４７間でＳ状に案内された後、第２ローラ４７の回りの紙幣通路４０で倒立Ｕ状を呈する。
【００５７】
紙幣２５の先端部が第３ローラ５１と第５プレスローラ５２との間に挟まれた直後に、後端部が第１ローラ４４と第２プレスローラ４６とから外れ、紙幣２５の受渡が行われる。
この過程で、第１紙幣センサ７５と第２紙幣センサ７６とよりなる長さセンサ７７によって紙幣長さの検査が行われる。
【００５８】
すなわち、第２センサ７６からの紙幣検知信号が出力されてから第１紙幣センサ７５の紙幣無し信号が出力される迄の時間が所定時間の場合、正常な紙幣長さであると判定し、振分板５９が鎖線示位置に移動される。
これにより、紙幣２５は第４ローラー５５と第７プレスローラ５６とに挟まれ、次いで第８プレスローラ５７に挟まれて、一時保留部６０に送り込まれる。
紙幣２５は、紙幣押え５９に誘導されてトレイ５８の底６２に押し付けられてシート状に保留される。
【００５９】
第４紙幣センサ７９からの紙幣無し信号により送り出された紙幣２５が一時保留されたことを間接的に判定する。
この信号をトリガーに再びキックローラ３４が所定時間回転され、紙幣２５を送り出す。
前述のように、送り出された紙幣２５がトレイ５８に集積される。
この動作が４回行われると、キックローラ３４が回転されることなくモーター５０が停止される。
【００６０】
続いてタイミングプーリー６４が回転されるので、突起６７が時計方向に移動する。
突起６７は、被動ピン７３を鎖線示位置へ移動させる。
被動ピン７３と一体にスライダ７１がガイドレール６８に案内されて底６２と平行に移動するので、押出片６９によってトレイ５８上に積み重なっている４枚の紙幣２５は、払出口６３へ向けて押し出される。
【００６１】
これにより紙幣２５の先端は、払出口１１０から所定長突出した状態になる。
タイミングプーリ６４は、押出片６９が実線示の位置に戻ったところで停止される。
突起６７が下側のベルト６６に位置したとき、被動ピン７４を左方に押すので、押出片６９は実線示の位置へ戻される。
【００６２】
押し出された紙幣２５により、センサ８０は紙幣検知状態を継続する。
利用者が紙幣２５を引き出すと、センサ８０は非検知状態になるが、利用者が引き出さない場合、検知状態が継続するので、所定時間以上の継続を検知した場合、アラーム信号を発信し、利用者に引き出しを促す。
【００６３】
長さセンサ７７が長さ異常を検知した場合、振分板５９は実線の位置を継続するので、紙幣２５は、第６プレスローラ５３から引込装置３１へ送られ、ローラ３２及び３３に挟まれてリジェクト紙幣保留部１７に引き入れられる。
このとき、第３紙幣センサ７８が紙幣２５を検知しなくなるとローラ３４が回転されて新たな紙幣２５が送り出される。
【００６４】
前記実施例において、リジェクト部及び一次保留部は、金庫装着部の上側、或いは側方にあってもよい。
さらに、紙幣は、一時保留部を配置することなく、一枚ずつ紙幣払出口に送り出すことができる。
【００６５】
【図面の簡単な説明】
【図１】図１は、本発明の実施例の紙幣払い出し装置の概略図である。
【図２】図２は、本発明の実施例の金庫の概略斜視図である。
【図３】図３は、本発明の実施例の第１搬送装置実施例の概略正面図である。
【図４】図４は、台間装置の正面図である。
【図５】図５は、台間装置の概略側面図である。
【符号の説明】
５　　　　　紙幣搬送装置
２４　　　　保留室
２５　　　　紙幣
４０　　　　紙幣通路
４４　　　　第１ローラー
４７　　　　ガイドローラー
５１　　　　第２ローラー
６３　　　　払出口
７５　　　　第１紙幣センサー
７６　　　　第２紙幣センサー
７７　　　　紙幣長さセンサー
【図１】
2004086634.tif 000003
【図２】
2004086634.tif 000004
【図３】
2004086634.tif 000005
【図４】
2004086634.tif 000006
【図５】
2004086634.tif 000007